【事件の表示】
　特願２０００−３５６６２０「広域ネットワーク上のハイパーメディアの分散パブリッシングおよびマネージメント用インテグレーティドデベロップメントプラットフォーム」拒絶査定不服審判事件〔平成１３年　７月１９日出願公開、特開２００１−１９５３９４〕について、次のとおり審決する。
【結　論】
　本件審判の請求は、成り立たない。
【理　由】
１．手続の経緯
　本願は、１９９６年３月２１日（パリ条約による優先権主張外国庁受理１９９５年３月２８日、米国）を国際出願日とする出願特願平８−５２９３４５号の一部を平成１２年１１月２２日に新たな特許出願としたものであって、平成１７年８月１５日付で拒絶査定がなされ（発送日同年８月２３日）、これに対し、同年１１月２１日に拒絶査定不服審判の請求がなされるとともに、同年１２月２１日付で手続補正がなされたものである。
　
２．平成１７年１２月２１日付の手続補正についての補正却下の決定
［補正却下の決定の結論］
　平成１７年１２月２１日付の手続補正を却下する。
［理由］
（２−１）平成１７年１２月２１日付の手続補正書により補正された本願発明
　本件補正前の特許請求の範囲は、平成１６年６月９日付手続補正書の特許請求の範囲に記載された、以下のとおりのものであった。
「【請求項１】　複数のサーバを有する広域ネットワーク上に電子ドキュメントを出版する方法であり、
　前記方法が、前記複数のサーバのうちのいずれかのサーバに操作可能に接続されたクライアントコンピュータを有するユーザにより使用され、
　前記複数のサーバのうちのソースサーバ上にあるソースドキュメントおよびターゲットサーバ上にあるターゲットドキュメントにアクセスする段階と、
 カーソル制御装置を用いてターゲットドキュメントのポインタをソースドキュメントに複写し、それによりソースドキュメントからターゲットドキュメントにハイパーメディアリンクを作り出す段階とからなり、
 前記各段階が、前記クライアントコンピュータが接続されたサーバ、前記ソースサーバ、および前記ターゲットサーバが同一のサーバであるか互いに異なったサーバであるかにかかわらず、シームレスユーザインタフェースを使用したクライアントコンピュータで実行されることを特徴とする方法。
【請求項２】　ターゲットドキュメントにアクセスする段階が、さらに、
 前記ソースドキュメント内のコンテンツのアンカー項目を選択する段階と、
 前記選択されたアンカー項目用の１つ以上のターゲットドキュメントのリストを自動的に生成させる段階と、
 前記ターゲットドキュメントの１つをターゲットドキュメントとしてインタラクティブに選択する段階とを含むことを特徴とする請求項１記載の方法。
【請求項３】　前記コンテンツのアンカー項目を選択する段階が、１つ以上のアンカー項目のリストを自動的に生成させる段階を含み、請求の範囲第２項に記載される段階が１つ以上のアンカー項目用に実行されることを特徴とする請求項２記載の方法。
【請求項４】　広域ネットワーク内の複数のサーバのうちのいずれかのサーバと作用的に結合されたクライアントコンピュータとともに使用される、前記広域ネットワーク上で電子ドキュメントをパブリッシュする装置において、
 前記複数のうちのソースサーバ上に位置するソースドキュメントにアクセスするためのソース検索手段と、
 前記複数のうちのターゲットサーバ上に位置するターゲットドキュメントをアクセスするためのターゲット検索手段と、
 カーソル制御装置を用いて、前記ターゲットドキュメントをアドレスするポインタを前記ソースドキュメントへ複写することによって、前記ソースドキュメントから前記ターゲットドキュメントへのハイパーメディアリンクを生成させるためのリンク発生手段と、を備えてなり、
 前記手段は全てクライアントサーバ上のシームレスユーザインターフェース内に統合されており、前記クライアントコンピュータが接続されたサーバ、前記ソースサーバ、および前記ターゲットサーバが同じサーバであるかあるいは互いに異なったサーバであるかに関わりなく動作可能であることを特徴とする装置。」
　
　本件補正により、特許請求の範囲は、下記のように補正された。
「【請求項１】　複数のサーバを有する広域ネットワーク上に電子ドキュメントを出版する方法であり、
　前記方法が、前記複数のサーバのうちのいずれかのサーバに操作可能に接続されたクライアントコンピュータを有するユーザにより使用され、
　前記複数のサーバのうちのソースサーバ上にあるソースドキュメントおよびターゲットサーバ上にあるターゲットドキュメントにアクセスする段階と、
　カーソル制御装置を用いてターゲットドキュメントのポインタをソースドキュメントに複写し、それによりソースドキュメントからターゲットドキュメントにハイパーメディアリンクを作り出す段階とからなり、
　前記各段階が、前記クライアントコンピュータが接続されたサーバ、前記ソースサーバ、および前記ターゲットサーバが同一のサーバであるか互いに異なったサーバであるかにかかわらず、シームレスユーザインターフェースを使用したクライアントコンピュータで実行されることを特徴とする方法。
【請求項２】　ターゲットドキュメントにアクセスする段階が、さらに、
　前記ソースドキュメント内のコンテンツのアンカー項目を選択する段階と、
　前記選択されたアンカー項目用の１つ以上のターゲットドキュメントのリストを自動的に生成させる段階と、
　前記ターゲットドキュメントの１つをターゲットドキュメントとしてインタラクティブに選択する段階とを含むことを特徴とする請求項１記載の方法。
【請求項３】　前記コンテンツのアンカー項目を選択する段階が、１つ以上のアンカー項目のリストを自動的に生成させる段階を含み、請求の範囲第２項に記載される段階が１つ以上のアンカー項目用に実行されることを特徴とする請求項２記載の方法。
【請求項４】　広域ネットワーク内の複数のサーバのうちのいずれかのサーバと作用的に結合されたクライアントコンピュータとともに使用される、前記広域ネットワーク上で電子ドキュメントを出版する装置において、
　前記複数のサーバのうちの前記クライアントコンピュータが接続されたサーバと同一または異なるソースサーバ上に位置するソースドキュメントに、中間的な複写や格納といった追加的操作を実行することを要求せずにアクセスするソース検索手段と、
　前記クライアントコンピュータが接続されたサーバおよび前記ソースサーバの少なくとも一方と同一であるか、またはいずれのサーバとも異なるターゲットサーバ上に位置するターゲットドキュメントに、前記追加的操作の実行を要求せずにアクセスするターゲット検索手段と、
　前記ソースドキュメントおよびターゲットドキュメント中のマークアップコードの解読および実行を行うブラウジングと前記ソースドキュメントおよびターゲットドキュメントの修正を行うドキュメント編集とが統合された環境下で、カーソル制御装置を用いて、前記ターゲットドキュメントをアドレスするポインタを前記ソースドキュメントへ複写することによって、前記ソースドキュメントから前記ターゲットドキュメントへのハイパーメディアリンクを生成させるリンク発生手段と、
　前記ハイパーメディアリンクがなされたソースドキュメントを保存する操作に応じて、前記ハイパーメディアリンクがなされたソースドキュメントを出版する出版手段とを備えてなることを特徴とする装置。」
　
（２−２）本件補正の目的の検討
　上記補正の目的について、請求人は、審判請求の理由において、特に言及していないので、まず、特許請求の範囲の減縮を目的とするものであるか否かについて検討する。
　
（２−２−１）特許請求の範囲の減縮　
　本件補正は、請求項４に、補正前の請求項４には含まれていなかった発明を特定する事項である「前記ハイパーメディアリンクがなされたソースドキュメントを保存する操作に応じて、前記ハイパーメディアリンクがなされたソースドキュメントを出版する出版手段」を、新たに追加しており、発明を特定するために必要な事項を限定するものではなく、新たに事項を追加する補正となっている。
　したがって、本件補正は、特許請求の範囲の減縮を目的とするものとはいえない。
　
（２−２−２）明瞭でない記載の釈明
　請求項４に、補正前の請求項４には含まれていなかった発明を特定する事項である「前記ハイパーメディアリンクがなされたソースドキュメントを保存する操作に応じて、前記ハイパーメディアリンクがなされたソースドキュメントを出版する出版手段」を、新たに追加しているが、これは、明瞭でない記載の釈明を目的としているとはいえない。
　
（２−２−３）請求項の削除、誤記の訂正
　本件補正は、請求項１ないし３については、請求項１の「シームレスユーザインタフェース」という記載を「シームレスユーザインターフェース」という発明の詳細な説明と同じ表記に改める補正であるから、誤記の訂正を目的とするものと認められるが、請求項４については、補正前の請求項４には含まれていなかった発明を特定する事項である「前記ハイパーメディアリンクがなされたソースドキュメントを保存する操作に応じて、前記ハイパーメディアリンクがなされたソースドキュメントを出版する出版手段」を、新たに追加しているから、請求項の削除を目的とするものでもなく、誤記の訂正を目的とするものでもないことは、明らかである。
　
（２−２−４）補正の目的違反による補正の却下
　よって、本件補正は、特に、請求項４について、平成１８年改正前特許法第１７条の２第４項第１号ないし第４号のいずれの事項をも目的とするものではないから、平成１８年改正前特許法第１７条の２第４項に規定する要件を満たしておらず、同法第１５９条第１項において読み替えて準用する同法第５３条第１項の規定により、却下すべきものである。
　
３．本願発明について
　平成１７年１２月２１日付の手続補正は上記のとおり却下されたので、本願の請求項１に係る発明（以下、「本願発明」という。）は、平成１６年６月９日付手続補正書の特許請求の範囲の請求項１に記載された事項により特定される、以下のとおりのものである。
　
「複数のサーバを有する広域ネットワーク上に電子ドキュメントを出版する方法であり、
　前記方法が、前記複数のサーバのうちのいずれかのサーバに操作可能に接続されたクライアントコンピュータを有するユーザにより使用され、
　前記複数のサーバのうちのソースサーバ上にあるソースドキュメントおよびターゲットサーバ上にあるターゲットドキュメントにアクセスする段階と、
 カーソル制御装置を用いてターゲットドキュメントのポインタをソースドキュメントに複写し、それによりソースドキュメントからターゲットドキュメントにハイパーメディアリンクを作り出す段階とからなり、
 前記各段階が、前記クライアントコンピュータが接続されたサーバ、前記ソースサーバ、および前記ターゲットサーバが同一のサーバであるか互いに異なったサーバであるかにかかわらず、シームレスユーザインタフェースを使用したクライアントコンピュータで実行されることを特徴とする方法。」
　
４．原査定の理由
　  原査定では、以下の理由で本願発明は、特許できないとしている。
（理由Ｂ）特許法第２９条第２項の規定を満たしていない。
（理由Ｃ）特許法第３６条第６項第２号の規定を満たしていない。
（理由Ｄ）特許法第３６条第４項の規定を満たしていない。
　
　以下では、上記理由Ｂ（特許法第２９条第２項の規定を満たしていない）について検討する。
　
５．引用発明
（５−１）引用例
　原査定で引用された特開平６−３１４２３０号公報（以下、引用例という。）には、図面と共に以下の記載（ア）〜（ウ）がある。
　
（ア）
「【０００１】
【産業上の利用分野】本発明は、ノン・シーケンシャルな構造を持つハイパーテキストなどのコンピュータ情報システムにおいて、参照体データと被参照体データとの間に参照リンクを簡単に効率よく作成する電子情報リンク作成装置に関する。
【０００２】
【従来の技術】近年、計算機システムは、文字データからなるテキストデータだけでなく画像データ・音声データ・ビデオデータなどの種々のデータを扱うようになってきており、シーケンシャルなデータだけでなくノン・シーケンシャルなデータの処理を実現しだしている。
【０００３】ハイパーテキストという言葉は、ノン・シーケンシャルな構造を持つ情報を指し、１９６０年代中ごろに考え出された。図９に示すようにハイパーテキスト電子情報システムでは、情報と情報を結合（リンク）することができる上に、関連のある情報の間でお互いに参照できる経路を作ることができる。上記のように、参照しようとする参照体データと参照先となる被参照体データが結合され、そのリンク経路が作られ、お互いに参照できることを参照リンクという。
【０００４】図１０に参照リンクの概念図を示す。図中の矢印が１つの参照リンクを表し、情報を求める使用者の必要性に応じて、さまざまな流れを持つ参照リンクが設定されている。図１０のような参照リンクを利用すれば、書籍などの紙メディアにおけるシーケンシャルな構造で綴られる情報表現及び序章から最終章まで一方的に通して読む場合と違って、使用者がハイパーテキスト電子情報システムでノン・シーケンシャルな構造で作成、編集、組織、表現及び参照などを自由自在に達成することができる。また、文字データに限らず、画像データ・音声データ・ビデオデータなど種々のデータを取り扱うことができる。
【０００５】従来の電子情報リンク作成装置として、米国　Asymetrix 社製のソフトウェアToolBook ( Using ToolBook---A Guide to Building and Working with Books, Asymetrix Corporation, 1989 ) がある。図１１、図１２の（ａ）〜（ｆ）は、この ToolBook により情報間の参照リンクを作成する場合の説明図である。 ToolBook は、図１１、図１２の会話式ウインドウによる操作により、以下のように間接的に参照リンクを作成する。
【０００６】図１１（ａ）は、参照体のテキストデータである。まず、参照しようとするドキュメントが、使用者の指定により画面上の一つのウインドウに表示される。参照しようとする文字列が指定されると、その文字列は画面上に反転表示される（図１１（ａ）の Salary Levels）。参照文字列が指定された後、図１１（ｂ）のコマンドメニューから、反転表示部分に示すように Object コマンドから”Hotword Properties... ”というコマンドを選ぶと、図１１（ｃ）のような会話式ウインドウが出て、該参照文字に対する指示が表示され、使用者の入力待ちとなる。
【０００７】ここで、”Link To ”というボタンを押すと、上記の会話式ウインドウが閉じて図１２（ｄ）の”Link To ”会話式ウインドウが表示されるようになる。使用者は、リンクするために”Link To ”会話式ウインドウの指示に従って、被参照体のドキュメントを探さなければならない。すなわち、使用者は同じウインドウでドキュメントを開く通常の操作により、リンク先となる被参照体ドキュメントを開いて、図１２（ｅ）のように被参照体のデータを捜し出す。
【０００８】被参照体データをリンクさせるために”Link To ”会話式ウインドウ上の”OK というボタンが押されると、”Link To ”会話式ウインドウが閉じ、ToolBookの会話式ウインドウは、自動的に元の参照体のドキュメントに戻り図１２（ｆ）に示すように表示する。このとき、図１１（ａ）の参照体ドキュメントデータと図１２（ｅ）の被参照体データは、結合（リンク）される。
【０００９】以上のように、情報をリンクする動作は、参照体データの指定と被参照体ドキュメントデータ探しの二つの主な動作に分けられる。参照体データを指定した後被参照体データを作成するには、”Link To ”会話式ウインドウにより参照リンクの処理動作を継続した状態のまま参照体ドキュメントの表示を切り換えて、被参照体データを捜さなければならない。
【００１０】
【発明が解決しようとする課題】しかしながら、上記の従来例によれば、【１】参照体データ中の参照文字列の指定【２】被参照体データの指定【３】リンクの指示という一連の処理手順に従って参照リンクを１つずつ作成するため、一回の手順で一つの参照リンクしか作成できず、多数の参照リンクを設定するには効率が悪いという問題点があった。
【００１１】また、【２】被参照体データの指定の際、ウインドウ表示内にある参照体ドキュメントを被参照体のドキュメントに切り換えて表示する必要があるので、使用者は、参照体データ・被参照体データのドキュメント上の位置を、はっきりと認識していなければならいという問題点があった。というのは、使用者はドキュメントにおける被参照体の記憶位置をはっきり認識していなければ、被参照体データを画面上で捜索をしなければならないという面倒な手間がかかるからであり、また、その間に参照体データの内容を忘れることもあるからである。このことは、ドキュメントが膨大になればなるほど深刻な問題となる。
【００１２】本発明は、上記の問題点に鑑み、参照体データと被参照体データとの間に参照リンクを簡単に効率よく作成することができる電子情報リンク作成装置の提供を目的とする。」（丸内に数字１，２，３を含む記号は、システムの制約により記述できないため、【１】【２】【３】と表記を置き換えて記述した。）
　
（イ）
「【００１５】
【実施例】図１は本発明の電子情報リンク作成装置における一実施例のシステムブロック図である。請求項との対応関係を先ず記してから図１の各構成を説明する。表示手段は、図示していないが、ＣＲＴディスプレイ装置等を指している。参照文字列登録手段は、参照文字列登録部３からなりバッファメモリ７のうち参照文字列／参照領域記憶用レジスタ７１を用いる。
【００１６】参照領域検出手段は、参照領域検出部５からなりバッファメモリ７のうち参照文字列／参照領域記憶用レジスタ７１を用いる。操作手段は、参照体データ入力部１・被参照体データ入力部２からなる。被参照体画像表示制御手段は、被参照体画像表示部４からなりバッファメモリ７のうち被参照体を記憶するレジスタ７２、７３を用いる。
【００１７】被参照体画像移動手段は、表示手段で画像を移動させる機能を持ち、被参照体画像移動位置検出部６を含み、バッファメモリ７のうち被参照体を記憶するレジスタ７２、７３を用いる。参照リンク判別手段は、参照リンク判別部８からなりバッファメモリ７のうち参照体および被参照体を記憶するレジスタ７２〜７７を用いる。
【００１８】参照リンク作成手段は、参照リンク作成部９からなりバッファメモリ７のうち参照文字列／参照領域記憶用レジスタ７１を用いる。図１において、参照体データ入力部１は、使用者によるキーボード・マウスからの指示や、ディスクファイル等から入力される参照体データを取り込む。参照文字列登録部３は、参照体データ入力部１から入力された参照体データの中から、指定された任意の文字列を参照文字列としてバッファメモリ７の参照文字列／参照領域記憶用バッファ７１に登録する。登録された参照文字列は、１つに集められ参照文字列リストとして参照文字列／参照領域記憶用バッファ７１に記憶される。この参照文字列リストにおける各参照文字列のノードのデータ構造を表１に示す。
【００１９】【表１】（省略）
【００２０】ここでの各フィールドの長さはバイトを単位としている。”開始文字位置”・”終止文字位置”のフィールドは、一つの参照文字列の開始文字位置・終了文字位置を、ウインドウ表示される参照体データの原点を基準として原点からのバイト数で表し、その相対位置データを示す。この２つの値は、参照体データにおける該参照文字列の内容及び開始文字と終止文字の座標を獲得するために用いられる。
【００２１】”被参照体識別子”のフィールドは、リンク設定前には初期値をゼロとし、リンク設定後には被参照体データの識別子を示す。この識別子は、参照文字列から被参照データを見たいときに、被参照データを検索するのに用いられる。”参照領域ノードポインタ”のフィールドは、参照文字列の参照領域のノードのポインタを示す。この参照領域ノードポインタにより各参照文字列に対応する参照領域を取り出すことができる。
【００２２】”次参照文字列ノードポインタ”のフィールドは、参照文字列リストにおいての次の参照文字列のノードのポインタを示す。もし、本ノードが該参照文字列リストにおいての最後のノードであれば、このフィールドををゼロにする。また、二つ以上の参照文字列が重なっても、参照文字列リストのノードの前後の順序により各参照文字列の上下階層の関係を表わすことができる。
【００２３】参照領域検出部５は、参照文字列／参照領域記憶用バッファ７１に登録された参照文字列リストの”開始文字位置”・”終止文字位置”フィールドのデータに基づいて、その参照文字列の開始文字の左上座標及び終止文字の右下座標により表される参照領域を検出する。この参照領域は、図８に示すように、参照文字列が一行に位置している場合、一つの矩形で表されるが、該参照文字列が一行を超えている場合、いくつかの矩形の集まりで表すことになる。・・・・上記検出された参照領域を参照領域ノードにより集めて、一つの参照領域リストとしてバッファメモリ７の参照文字列／参照領域記憶用バッファ７１に記憶する。・・・・参照領域リストの各参照領域ノードのデータ構造を表２に示す。
【００２４】【表２】（省略）
【００２５】ここでの各フィールドの長さはバイトを単位としている。”参照領域座標（ R＿left,R＿top, R＿right, R＿bottom）”のフィールドは、左上座標、右下座標で表される参照領域を記憶する。”参照文字列ノードポインタ”は、参照領域に対応する参照文字列のノードのポインタを記憶している。この参照文字列ノードポインタは、参照領域に対応する参照文字列を取り出すために用いられている。
【００２６】”次参照領域ノードポインタ”というフィールドには参照領域リストにおいてのその参照領域ノードの次の参照領域ノードのポインタを記憶する。もし、この参照領域ノードは参照領域リストにおいての最後のノードであれば、ゼロとする。また、参照領域リストのノードの前後の順序により各参照領域の上下階層の関係を表わすことができる。
【００２７】上記の参照文字列ノード及び参照領域ノードをデータ構造から見ると、参照文字列リスト及び対応する参照領域リストは図４のような構成関係を持っている。各参照文字列はそれぞれ一つの参照文字列ノードに記憶され、該参照文字列に対応する参照領域は一つか一つ以上の参照領域ノードに記憶される。被参照体データ入力部２は、使用者がキーボード、ディスクファイル、或いは他の周辺装置（たとえば、スキャナからの静態イメージや、カメラにより撮影された連続画像）からの被参照データが入力される。
【００２８】被参照体画像表示部４は、読み込まれた被参照データのタイプを表す特定の画像や図形（以下、被参照体画像）を、参照体データと共に表示部に表示する。この被参照体画像は、例えば図５（ｂ）のウィンドウ外に小さく表示されたテキストデータ画像、同様に図６（ｂ）のビデオデータ画像、図７（ｂ）の音声合成データ画像のように表示される。これにより、使用者は被参照データのタイプが一目で分かるようになる。
【００２９】被参照体画像移動位置検出部６は、使用者が入力部を介して被参照体画像を画面上で移動させると、その画像の中心点の元の位置（Px',Py')、及び水平及び垂直方向への移動距離（dx,dy)により，移動後の画像の中心点の画面座標系での座標（Px,Py)を検出する。この（Px,Py)は、下記の式により得られる。
Ｐｘ＝Ｐｘ’＋ｄｘ
Ｐｙ＝Ｐｙ’＋ｄｙ
この検出された中心点の座標（Px,Py)はバッファメモリ７のPxレジスタ，Pyレジスタに記憶される。
【００３０】バッファメモリ７は、参照文字列／参照領域記憶用バッファ７１、Pxレジスタ７２、Pyレジスタ７３、 R＿leftレジスタ７４、 R＿top レジスタ７５、 R＿right レジスタ７６、 R＿bottomレジスタ７７から構成されている。参照文字列／参照領域記憶バッファ７１は、参照文字列登録部により参照文字列が記憶し、各参照文字列に該当する参照領域に関するデータを記憶する。
【００３１】Pxレジスタ７２、Pyレジスタ７３は被参照体画像移動位置検出部６により検出された中心点の座標（Px,Py)を記憶する。R ＿leftレジスタ７４、 R＿top レジスタ７５、 R＿right レジスタ７６、 R＿bottomレジスタ７７は、それぞれ参照領域の矩形領域の左上座標及び右下座標を記憶する。この６つのレジスタに記憶される値は、被参照体画像の中心点（７２、７３のレジスタ）が参照文字列リストのいずれかの参照領域の内部（７３〜７７のレジスタ）に位置しているか、すなわち、画面上で被参照体画像がどの参照文字列に重なっているかを判断するのに利用される。
【００３２】参照リンク判別部８は、まず、被参照体画像が参照体に位置しているかどうかを判別する。すなわち、被参照体の中心座標が参照体ウィンドウの範囲内にあるか否かを判別する。ある参照体に位置しているなら、参照リンク判別部８は、PXレジスタ７２、PYレジスタ７３に記憶されている画像の中心点位置（Px＿screen ,  Py＿screen）を、下記の式により画面座標系からウインドウ表示における参照体座標系（Px＿ref ，Py＿ref ）に変換する。
【００３３】Px＿ref ＝  Px＿screen　−  Px＿screen＿ref   ＋  dx＿scroll
Py＿ref ＝  Py＿screen　−  Py＿screen＿ref   ＋  dy＿scroll
ここで、（Px＿ref ，Py＿ref ）は被参照体画像の中心点位置の参照体座標系における座標値である。（Px＿screen ,  Py＿screen）は被参照体画像の中心点置の画面座標系に置いての座標値である。（Px＿screen＿ref ,  Py ＿screen＿ref ）は参照体座標系の原点が画面座標系に対しての相対座標値である。（dx＿scroll ,  dy＿scroll）は参照体が参照体座標系において水平、垂直方向へのスクールしたオフセットである。ただし、参照体座標系（ウインドウ上の座標）、画面座標系は両方とも左上座標を原点とし、水平方向は右へ増加し、垂直方向は下へ増加する。変換された座標は、再度PXレジスタ７２、PYレジスタ７３に記憶される。
【００３４】参照リンク判別部８は、次に、座標変換後のPxレジスタ７２、Pyレジスタ７３の被参照体画像の中心点座標と、R ＿leftレジスタ７４、 R＿top レジスタ７５、 R＿right レジスタ７６、 R＿bottomレジスタ７７の記憶された参照領域の左上座標、右下座標を比較し、下記の（式５）及び（式６）により、被参照体画像の中心点座標が該参照領域リストのいずれかの参照領域に位置しているかを判別する。
【００３５】R＿left　≦　Px　＜   R＿right 
R＿top   ≦  Py  ＜   R＿bottom
上記の参照リンク判別部８の座標変換・比較・判別する処理は、参照文字列／参照領域用バッファ７１に記憶されている参照領域リストに登録されている参照領域それぞれに対して、順に行われる。読み出し、参照体座標系に変換し位置しているなら、該参照領域に対応する参照文字列を該被参照体画像で表示する被参照体データと参照リンクを作成する。
【００３６】参照リンク作成部９は、参照リンク判別部８が被参照体画像の中心点がある参照領域の範囲内に位置していると判別したとき、参照体と被参照体との間に参照リンクを作成する。すなわち、被参照体データの識別子を参照文字列ノードの被参照体識別子のフィールドに書き込む。以上のように構成された電子情報リンク作成装置について、図２、図３の処理流れ図を参照しながら、参照リンクを作成する動作を説明する。
【００３７】（１）まず、入力手段は、使用者により、参照体データ入力モードまたは被参照体入力モードのどちらを選択するかが入力される（図２のＳ５）。参照体データ入力モードが選択されると、参照体データ入力部１は参照体データの入力を待ちとなる（Ｓ’１０）。被参照体データ入力モードが選択されると、被参照体データ入力部２は被参照体データの入力待ちとなる（Ｓ１０）。どのデータも入力しない場合、終了することができる（Ｓ１５）。
【００３８】（２）参照体データ入力モードが選択された場合、参照体データ入力部１から参照体データが指定されると（Ｓ’１０）、その参照体データは表示手段の画面上に表示される。読み込む。さらに、参照体データ入力部１から参照体データにおける参照しようとする文字列がで指定されると（Ｓ’２０）、参照文字列登録部３は、参照文字列／参照領域記憶用バッファ７１に開始文字位置および終了文字位置（表１参照）を登録する（Ｓ’３０）。次に、参照領域検出部５は、登録された参照文字列について、各参照文字列に対応するすべての参照領域を検出し、一つの参照領域リスト（表２、図４参照）として参照文字列／参照領域記憶用バッファ７１に格納する（Ｓ’４０）。使用者がその参照体データにおいて、さらに他の参照文字列を登録するかまたは他の参照体データを入力しようとするときは、参照体データ入力部１からの指定により上記の参照文字列登録及び参照領域検出動作が繰り返し行われる（Ｓ’５０、Ｓ’６０）。
【００３９】（３）上記の参照文字列登録及び参照領域検出動作が終わると、参照リンク判別部は、バッファレジスタのレジスタ７２、７３の内容が０”ゼロ”であるか否かを判定することにより、被参照体データが使用者により指定済みか否かを判断する（Ｓ’７０）。指定済みであれば、Ｓ４０に進み、指定されていなければ、Ｓ５に戻る。被参照体が指定されていない場合、使用者は被参照体データ入力モードを選択して（Ｓ５）、被参照体データ入力部２によりリンク先の被参照体データを入力しなければならない（Ｓ１０）。被参照データが入植されると、では被参照体画像表示部４は、参照体データと共にその被参照体データを縮小した画像（被参照体画像）を表示手段に表示する（Ｓ２０）。さらに、使用者が被参照データを指定したい場合、上記のＳ１０，Ｓ２０を繰り返して、他の被参照体データを入力することができる（Ｓ３０）。
【００４０】（４）被参照体画像移動位置検出部６は、まず被参照体画像が表示されると（Ｓ４０）、その中心点の画面上の座標位置を取り出して、バッファメモリ７のＰｘレジスタ７２及びＰｙレジスタ７３に格納し（Ｓ５０）、次に参照体データが参照文字列／参照領域記憶用バッファ７１に登録されていて、かつ画面上に存在するか否かを判定する（Ｓ６０）。参照体データが存在しない場合はＳ５に戻り、データ入力待ちとなる。このとき使用者は、参照体の入力及び参照しようとする参照文字列の指定の動作を行う必要がある。
【００４１】参照体データが存在する場合、被参照体画像移動位置検出部６は、被参照体画像の中心点（Px,Py)がいずれかの参照体データのウィンドウ表示の範囲内に位置しているかを判断する（Ｓ７０）。どの参照体データの範囲内にも位置していない場合は、被参照体画像の中心点が何らかの参照体に位置していることを検出するまで上記のＳ４０からＳ７０までの動作を繰り返す。
【００４２】被参照体画像の中心点がある参照体に位置していることを検出すると、参照リンク判別部８は、まず該被参照体画像の中心点（Px,Py)を画面座標系からＳ７０により検出された参照体データの座標系に転換し、転換された中心点の座標をPxレジスタ７２、Pyレジスタ７３に記憶する。参照リンク判別部８は、次に、参照文字列／参照領域記憶用バッファ７１に記憶されている該参照体の参照領域リストを取り出し、被参照体画像の中心点がどの参照領域に位置しているかを、以下のように検出する（Ｓ９０〜Ｓ１２０）。参照リンク判別部８は、上記取り出した参照領域リストに基づいて、各参照領域ノードのポインタを順に取り出し（Ｓ９０）、取り出された参照領域ノードのポインタがヌル（null）であるかどうかを判定し（Ｓ１００）、ヌル（null）であれば、該参照領域リストの終りまで探したことを表わすため、ループを飛び出して、Ｓ４０に戻り使用者にドラッグされている被参照体画像であるかを続けて検出する。取り出された参照領域ノードのポインタがヌルでない場合、参照リンク判別部８は、１つの参照領域の左上座標（R ＿left，R ＿top ）及び右下座標（R ＿right ，R ＿bottom）をそれぞれレジスタ７４〜７７に格納し（Ｓ１１０）、中心点（Px，Py）がその参照領域（R ＿left，R ＿top ,R＿right ，R ＿bottom）に位置していると判断すれば（Ｓ１２０）、その参照領域ノードの参照文字列ポインタにより該参照領域に対応する参照文字列を取り出し（Ｓ１３０）、取り出された参照文字列を被参照体画像で表示する被参照体との間に参照リンクを設定、つまり参照文字列リストの被参照体識別子（表１参照）を設定する（Ｓ１４０）。
【００４３】中心点（Px，Py）が該参照領域に位置していない場合（Ｓ１２０）、Ｓ９０に戻り、参照リンク判別部８は、参照領域リストから次の参照領域ノードポインタを取り出して、り中心点が位置している参照領域を探し出すまで、Ｓ９０からＳ１２０までの処理を繰り返す。Ｓ１４０により参照リンクを設定した後、Ｓ１５により参照リンク動作を終るかどうかを決定することになる。」
　
（ウ）
「【００４４】以上の動作により参照リンクが設定されることになる。よりよく説明するために、使用者の側から見た本実施例の電子情報リンク作成装置の参照リンクの動作を従来例と同じ例を用いて説明する。まず使用者は、参照体入力モードを選んで（Ｓ５）から、参照体データを指定する（Ｓ’１０）。このとき、図５（ａ）上側のような参照体データ”Buissiness Management of Japan”（以下に参照体Ｄ’と称する）がドキュメントウインドウ（以下にウインドウＷ’と称する）に表示される。
【００４５】次に使用者は、参照体Ｄ’について参照しようとする文字列”Salary Levels ”（反転表示される部分）を指定する。この参照文字列は、参照文字列登録部３により参照文字列／参照領域記憶用バッファ７１に登録され（Ｓ’２０、Ｓ’３０）、参照領域検出部によりその参照文字列により対応する参照領域が検出され、対応する参照領域が一つの参照領域リストＬ’として参照文字列／参照領域記憶用バッファ７１に記憶される（Ｓ’４０）。このとき、図５（ａ）の参照領域は、参照文字列がすべて同じ行に位置しているため、一つの矩形（４２，１２５，１４９，１４４）で表示される。図６（ａ）は、図５（ａ）上側と同じ参照体データ中の参照文字列Jishu Kanri Activitiesを登録する場合の表示画面を、図７（ａ）は、同様に参照文字列Labor-Management Relationsを登録する場合の表示画面を示す。これらは、参照文字列／参照領域記憶用バッファ７１に登録される。参照文字列の登録は、このように複数の文字列の登録ができる。
【００４６】この後、他の参照文字列または他の参照体を入力しない場合（Ｓ’５０、Ｓ’６０）、使用者は被参照体入力モードを選んで（Ｓ５）、図５（ａ）下側のような被参照体データ”Salary Levels ”（以下に被参照体Ｄと称する）を指定し（Ｓ１０）、ドキュメントウインドウ（以下にウインドウＷと称する）を表示させる。このとき、参照体ウインドウＷ’及び被参照体ウインドウＷが同時に表示され、使用者が画面上で参照体Ｄ’及び被参照体Ｄの内容をはっきり見ることができる。この状態を図５（ａ）に示す。
【００４７】この二つのドキュメントをリンクするために、使用者は、被参照体画像表示部により被参照体ウインドウＷを縮小させて（Ｓ２０）、この縮小された被参照体画像をリンクしたい参照文字列に重ね合わせる。すなわち、使用者は、図５（ａ）のウインドウＷの右上の方にある縮小ボタンを押すと、図５（ｂ）のように被参照体Ｄの縮小画像にする。次に、図５（ｃ）のように使用者がマウスなどを使ってこの被参照体画像を参照しようとする参照文字列”Salary Levels ”に重ね合わせる。
【００４８】これにより、被参照体画像移動位置検出部６は、被参照体Ｄの被参照体画像が移動したことを検出すると（Ｓ４０）、移動された被参照体画像の中心点の座標（２３７，３８１）を検出し（Ｓ５０）、参照体画像が存在する場合（Ｓ６０）、被参照体画像が被参照体ウインドウＷ’に位置しているかを判断する（Ｓ７０）。図５（ｃ）のように被参照体画像が参照体ウインドウＷ’に位置していると判断すると、被参照体画像移動位置検出部６は、被参照体画像の中心点の画面座標系の（２３７，３８１）を参照体ウインドウＷ’座標系の（９６，１３６）に転換した後、参照文字列／参照領域記憶用バッファ７１に記憶されている参照体Ｄ’の参照領域リストＬ’の各参照領域を順に、転換された座標と比較する。図５（ｃ）の場合、被参照体画像の中心点が参照領域（４２，１２５，１４９，１４４）に位置していることを検出する（Ｓ９０〜Ｓ１２０）ので、その参照領域に対応する参照文字列”Salary Levels ”を取り出して（Ｓ１３０）、Ｓ１４０により参照文字列”Salary Levels ”と被参照体Ｄと連結して参照リンクを作成、つまり参照文字列リストの被参照体識別子（表１参照）を設定する（Ｓ１４０）。
【００４９】さらに、別の参照リンクを作成する場合には、使用者は、被参照体データ入力モードに戻って、被参照体データを指定し（Ｓ１０）、参照体ウィンドウと被参照体ウィンドウを表示させた後（図６（ａ）または図７（ａ））、その縮小画像である被参照体画像を表示させ（図６（ｂ）または図７（ｂ））、上記と同様に操作する。このように、一度参照体データを複数登録しておけば、被参照体データを順次指定していくことにより、複数の参照リンクを作成することができる。
【００５０】ここで、図６（ａ）下側の被参照データは、連続画像を示している。連続画像のビデオデータは、このウインドウに示された定義フィールドリスト（AV Processing Unit) にデータを記入することにより規定される。図中に示された定義フィールドのデータは、４０６９画面から４０９６画面までのビデオデータを四分の一の画面の大きさで、更にリンクしようとする参照文字列に対する相対位置（４０，１０）に表示するよう規定されている。そして、参照リンクの完成後、その参照文字列をクリックすると、上記の定義された被参照体ビデオデータを再生する。　また、図６（ａ）下側の被参照データは、音声合成データを示している。そして、参照リンクの完成後、その参照文字列をクリックすると、上記の被参照体音声合成データの内容は音声合成器により再生される。
【００５１】このように、被参照体データは、テキストデータに限らず、例えば、図形、動画、イメージ、音声、合成音声などが混在したマルチメディアデータであっても参照リンクを作成することができる。また、本実施例の参照領域は、参照体データから参照文字列として取り出されているが、本発明は参照体のどの領域でも参照領域にすることができ、例えば、一つのドキュメントにのある挿絵、一つの挿絵においての所定領域、一つのドキュメントの一つの表、或いは一つの表のあるフィールドなどを参照領域として登録すればすべて参照リンクすることができる。」
　
　引用例の上記記載から、引用例には以下の事項が開示されているといえる。
　
（ａ）引用例の上記（ア）の「【産業上の利用分野】本発明は、ノン・シーケンシャルな構造を持つハイパーテキストなどのコンピュータ情報システムにおいて、参照体データと被参照体データとの間に参照リンクを簡単に効率よく作成する電子情報リンク作成装置に関する。」及び「本発明は、上記の問題点に鑑み、参照体データと被参照体データとの間に参照リンクを簡単に効率よく作成することができる電子情報リンク作成装置の提供を目的とする。」という記載から、引用例には、ノン・シーケンシャルな構造を持つハイパーテキストなどのコンピュータ情報システムにおいて、参照体データと被参照体データとの間に参照リンクを作成する方法が開示されている。
　
（ｂ）上記（イ）の「図１において、参照体データ入力部１は、使用者によるキーボード・マウスからの指示や、ディスクファイル等から入力される参照体データを取り込む。」（段落００１８）及び「被参照体データ入力部２は、使用者がキーボード、ディスクファイル、或いは他の周辺装置（たとえば、スキャナからの静態イメージや、カメラにより撮影された連続画像）からの被参照データが入力される。」（段落００２７）という記載並びに図１から、引用例の参照リンク作成方法は、ディスクファイルなどから参照体データ及び被参照体データを入力しているといえる。
　
（ｃ）引用例の上記（イ）の「被参照体画像表示部４は、読み込まれた被参照データのタイプを表す特定の画像や図形（以下、被参照体画像）を、参照体データと共に表示部に表示する。この被参照体画像は、例えば図５（ｂ）のウィンドウ外に小さく表示されたテキストデータ画像、同様に図６（ｂ）のビデオデータ画像、図７（ｂ）の音声合成データ画像のように表示される。これにより、使用者は被参照データのタイプが一目で分かるようになる。」（段落００２８）という記載、及び、上記（ウ）の「まず使用者は、参照体入力モードを選んで（Ｓ５）から、参照体データを指定する（Ｓ’１０）。このとき、図５（ａ）上側のような参照体データ”Buissiness Management of Japan”（以下に参照体Ｄ’と称する）がドキュメントウインドウ（以下にウインドウＷ’と称する）に表示される。」（段落００４４）、「使用者は被参照体入力モードを選んで（Ｓ５）、図５（ａ）下側のような被参照体データ”Salary Levels ”（以下に被参照体Ｄと称する）を指定し（Ｓ１０）、ドキュメントウインドウ（以下にウインドウＷと称する）を表示させる。このとき、参照体ウインドウＷ’及び被参照体ウインドウＷが同時に表示され、使用者が画面上で参照体Ｄ’及び被参照体Ｄの内容をはっきり見ることができる。この状態を図５（ａ）に示す。」（段落００４６）という記載、並びに、図５，６，７から、引用例の参照リンク作成方法では、参照体データと被参照データとを共に表示部のドキュメントウィンドウに表示する段階を備えているといえる。
　
（ｄ）引用例の上記（ウ）の「この二つのドキュメントをリンクするために、使用者は、被参照体画像表示部により被参照体ウインドウＷを縮小させて（Ｓ２０）、この縮小された被参照体画像をリンクしたい参照文字列に重ね合わせる。すなわち、使用者は、図５（ａ）のウインドウＷの右上の方にある縮小ボタンを押すと、図５（ｂ）のように被参照体Ｄの縮小画像にする。次に、図５（ｃ）のように使用者がマウスなどを使ってこの被参照体画像を参照しようとする参照文字列”Salary Levels ”に重ね合わせる。
【００４８】これにより、被参照体画像移動位置検出部６は、被参照体Ｄの被参照体画像が移動したことを検出すると（Ｓ４０）、移動された被参照体画像の中心点の座標（２３７，３８１）を検出し（Ｓ５０）、参照体画像が存在する場合（Ｓ６０）、被参照体画像が被参照体ウインドウＷ’に位置しているかを判断する（Ｓ７０）。図５（ｃ）のように被参照体画像が参照体ウインドウＷ’に位置していると判断すると、被参照体画像移動位置検出部６は、被参照体画像の中心点の画面座標系の（２３７，３８１）を参照体ウインドウＷ’座標系の（９６，１３６）に転換した後、参照文字列／参照領域記憶用バッファ７１に記憶されている参照体Ｄ’の参照領域リストＬ’の各参照領域を順に、転換された座標と比較する。図５（ｃ）の場合、被参照体画像の中心点が参照領域（４２，１２５，１４９，１４４）に位置していることを検出する（Ｓ９０〜Ｓ１２０）ので、その参照領域に対応する参照文字列”Salary Levels ”を取り出して（Ｓ１３０）、Ｓ１４０により参照文字列”Salary Levels ”と被参照体Ｄと連結して参照リンクを作成、つまり参照文字列リストの被参照体識別子（表１参照）を設定する（Ｓ１４０）。」（段落００４７〜００４８）、「このように、被参照体データは、テキストデータに限らず、例えば、図形、動画、イメージ、音声、合成音声などが混在したマルチメディアデータであっても参照リンクを作成することができる。」（段落００５１）という記載、並びに、図５，６，７から、引用例の参照リンク作成方法は、マウスを用いて被参照データの縮小された被参照体画像をリンクしたい参照文字列に重ね合わせ、それにより参照体データからマルチメディアデータである被参照体データに参照リンクを作り出す段階を備えているといえる。
　
　したがって、引用例には、以下の発明（以下、「引用発明」という。）が開示されていると認められる。
　
「ノン・シーケンシャルな構造を持つハイパーテキストなどのコンピュータ情報システムにおいて、参照体データと被参照体データとの間に参照リンクを作成する方法であって、
ディスクファイルなどから参照体データ及び被参照体データを入力しており、
参照体データと被参照データとを共に表示部のドキュメントウィンドウに表示する段階と、
マウスを用いて被参照データの縮小された被参照体画像をリンクしたい参照文字列に重ね合わせ、それにより参照体データからマルチメディアデータである被参照体データに参照リンクを作り出す段階と
を備えた参照リンクを作成する方法。」
　
６．対比
　以下では、引用発明と本願発明を対比する。
　
（Ａ）引用発明の「参照体データ」及び「被参照体データ」は、ドキュメントウィンドウに表示されるドキュメントであるといえるから、引用発明の「参照体データ」、「被参照体データ」は、それぞれ、本願発明の「ソースドキュメント」、「ターゲットドキュメント」に相当している。
　引用発明では、「参照体データ」及び「被参照体データ」を表示していることから、「参照体データ」及び「被参照体データ」にアクセスする段階を備えているといえる。
　したがって、引用発明も、本願発明と同様に、ソースドキュメントおよびターゲットドキュメントにアクセスする段階を備えているといえる。
　ただし、本願発明は、複数のサーバを有する広域ネットワーク上に電子ドキュメントを出版する方法であり、前記方法が、前記複数のサーバのうちのいずれかのサーバに操作可能に接続されたクライアントコンピュータを有するユーザにより使用され、ソースドキュメントが、ソースサーバ上にあり、ターゲットドキュメントがターゲットサーバ上にあるのに対し、引用発明は、複数のサーバを有する広域ネットワーク上に電子ドキュメントを出版する方法でなく、複数のサーバのうちのいずれかのサーバに操作可能に接続されたクライアントコンピュータを有するユーザにより使用される方法でなく、ソースドキュメントや、ターゲットドキュメントがソースサーバやターゲットサーバ上にあるわけではない点で相違している。
　
（Ｂ）グラフィカルユーザインターフェイス技術の分野において、ウィンドウが縮小された縮小画像アイコン（被参照データの縮小された被参照体画像）は、ウィンドウ内に表示されているファイル等のポインタとして利用されるから、引用発明の「マウス」、「被参照データの縮小された被参照体画像」は、本願発明の「カーソル制御装置」、「ターゲットドキュメントのポインタ」に、それぞれ相当する。
　また、マウスを用いたグラフィカルユーザインターフェイス技術の分野において、アイコンをマウスで選択してドラッグして、オブジェクトに重ね合わせる操作は、アイコンで示すファイル等を複写してオブジェクトに入力することを意味する操作であるから、引用発明の「マウスを用いて被参照データの縮小された被参照体画像をリンクしたい参照文字列に重ね合わせ」る操作は、本願発明の「カーソル制御装置を用いてターゲットドキュメントのポインタをソースドキュメントに複写」する操作に対応している。
　さらに、引用発明では、参照体データからマルチメディアデータである被参照体データに参照リンクを作り出しているから、本願発明と同様に、ソースドキュメントからターゲットドキュメントにハイパーメディアリンクを作り出しているといえる。
　したがって、引用発明も、本願発明と同様に、カーソル制御装置を用いてターゲットドキュメントのポインタをソースドキュメントに複写し、それによりソースドキュメントからターゲットドキュメントにハイパーメディアリンクを作り出す段階を備えたハイパーメディアリンク作成方法であるといえる。
　ただし、本願発明では、各段階が、クライアントコンピュータが接続されたサーバ、ソースサーバ、およびターゲットサーバが同一のサーバであるか互いに異なったサーバであるかにかかわらず、シームレスユーザインタフェースを使用したクライアントコンピュータで実行されているのに対し、引用発明では、単一のリンク作成装置で実行されている点で相違している。
　
　したがって、本願発明と引用発明とは、
「ソースドキュメントおよびターゲットドキュメントにアクセスする段階と、
カーソル制御装置を用いてターゲットドキュメントのポインタをソースドキュメントに複写し、それによりソースドキュメントからターゲットドキュメントにハイパーメディアリンクを作り出す段階と
を備えたハイパーメディアリンク作成方法。」
で一致し、以下の点で相違する。
　
（相違点１）
　本願発明は、複数のサーバを有する広域ネットワーク上に電子ドキュメントを出版する方法であり、前記方法が、前記複数のサーバのうちのいずれかのサーバに操作可能に接続されたクライアントコンピュータを有するユーザにより使用され、ソースドキュメントが、ソースサーバ上にあり、ターゲットドキュメントがターゲットサーバ上にあるのに対し、引用発明は、複数のサーバを有する広域ネットワーク上に電子ドキュメントを出版する方法でなく、複数のサーバのうちのいずれかのサーバに操作可能に接続されたクライアントコンピュータを有するユーザにより使用される方法でなく、ソースドキュメントや、ターゲットドキュメントがソースサーバやターゲットサーバ上にあるわけではない点。
　
（相違点２）
　本願発明では、各段階が、クライアントコンピュータが接続されたサーバ、ソースサーバ、およびターゲットサーバが同一のサーバであるか互いに異なったサーバであるかにかかわらず、シームレスユーザインタフェースを使用したクライアントコンピュータで実行されているのに対し、引用発明では、単一のリンク作成装置で実行されている点。
　
７．当審の判断
　
（相違点１について）
　ハイパーテキストやハイパーメディアの技術分野において、複数のサーバ上に相互にリンクされた参照元や参照先のハイパーテキストドキュメントやハイパーメディアドキュメントを置いて、複数のサーバのいずれかに接続されたクライアントコンピュータからアクセス可能な電子ドキュメント（ＨＴＭＬドキュメントや、ハイパーカードドキュメントなど）を出版することは、本願出願前に周知の技術に過ぎないから、引用発明のハイパーメディアリンク作成方法においても、当該周知技術を用いて、複数のサーバを有する広域ネットワーク上に電子ドキュメントを出版する方法とし、複数のサーバのうちのいずれかのサーバに操作可能に接続されたクライアントコンピュータを有するユーザにより使用され、ソースドキュメントを、ソースサーバ上に置き、ターゲットドキュメントをターゲットサーバ上に置く構成を採用することは、当業者が容易に想到し得たものである。
　
（相違点２について）
　クライアント・サーバシステムの技術分野において、広域ネットワーク（ＷＡＮ）で相互に接続された複数のサーバにまたがってネットワークファイルシステム（分散ファイルシステム）を構築し、クライアントコンピュータから、位置透過的にアクセス可能とする、すなわち、クライアントコンピュータが接続されたサーバ、ソースサーバ、およびターゲットサーバが同一のサーバであるか互いに異なったサーバであるかにかかわらず、シームレスユーザインタフェースを使用してアクセス可能とすることは、本願出願前に周知の技術に過ぎない（例えば、青山幹雄、１．分散開発環境：新しい開発環境像を求めて、情報処理、Ｖｏｌ．３３，Ｎｏ．１、１９９２．０１．１０、社団法人 情報処理学会、ｐｐ．２−１３．（特に、９〜１０頁の７．２．３ファイル／データベースシステム）あるいは、長野宏宣、２．分散開発環境の基盤技術、情報処理、Ｖｏｌ．３３，Ｎｏ．１、１９９２．０１．１０、社団法人 情報処理学会、ｐｐ．１４−２１．（特に、１９頁４．（２）データの分散化）を参照されたい。）。
　よって、引用発明のハイパーメディアリンク作成方法においても、当該周知技術を用いて、各段階を、クライアントコンピュータが接続されたサーバ、ソースサーバ、およびターゲットサーバが同一のサーバであるか互いに異なったサーバであるかにかかわらず、シームレスユーザインタフェースを使用したクライアントコンピュータで実行とする構成を採用することは、当業者が容易に想到し得たものである。
　
　また、本願発明の効果についてみても、上記構成の採用に伴って、当然に予測される程度のものにすぎず、格別顕著なものがあるとは認められない。
　
８．むすび
　以上のとおりであるから、本願発明は、引用例に記載された発明及び周知技術に基づいて当業者が容易に発明できたものであるから、特許法第２９条第２項の規定を満たしておらず、特許を受けることができない。
　したがって、本願は、他の請求項について特に検討するまでもなく、拒絶されるべきものである。
　よって、結論のとおり審決する。